(57)【特許請求の範囲】
【請求項１】
映像源と、複数の層を具備する光学シートとを有する表示装置であって、
前記光学シートは、透光性を有する基材層と、前記基材層の一方の面に積層された光学機能層と、を備え、
前記光学機能層は、透光性を有するとともに前記基材層の面に沿って四角形断面を有して所定の間隔で並列され、前記四角形断面を維持して当該並列される方向とは異なる方向に延びる光透過部と、前記光透過部間に形成されて前記光透過部と同じ方向に延び、光を吸収可能とされる光吸収部と、を具備し、
隣接する前記光吸収部と前記光透過部との界面は湾曲するように形成されており、
前記光学機能層の層厚方向断面において前記光透過部の前記四角形断面のうち対向する１組の辺は前記界面を構成する辺であり、該四角形の２つの対角線のうちの一方である第一の対角線が前記光学機能層の出光面法線との成す角をθ１とし、前記２つの対角線のうちの他方である第二の対角線が前記出光面法線と成す角をθ２としたとき、θ１＜θ２であり、
前記光透過部及び前記光吸収部が並列される方向が上下方向となるように配置され、前記第一の対角線を観察者側に延長したときに該第一の対角線が上方に、前記第二の対角線を観察者側に延長したときに該第二の対角線が下方に向くように前記光学機能層が配置される、表示装置。
【発明の詳細な説明】
【技術分野】
【０００１】
本発明は、テレビやディスプレイ等の表示装置、該表示装置に用いられる光学シート、光学シートの製造方法、及び光学シートを製造する際のロール金型の製造方法に関する。
【背景技術】
【０００２】
プラズマテレビや液晶表示装置のように、映像を観察者に出射する表示装置には、映像源と、該映像源からの映像光の質を高めて観察者側に透過する光学シートと、が備えられている。
【０００３】
このような光学シートでは、複数の層が積層され、当該複数の層の１つに、表面に微細な凹凸形状が設けられた層を備えることがある。そしてその凹部に光吸収性能を付与してコントラストを向上させることができる（例えば特許文献１）。
【先行技術文献】
【特許文献】
【０００４】
【特許文献１】特開２００６−１８９８６７号公報
【発明の概要】
【発明が解決しようとする課題】
【０００５】
コントラストは、表示装置に具備された光学シート内に外光が入り込み、映像光に影響を与えることにより低下する。このとき外光は光学シートの法線方向から該光学シートに入射することは少なく、上方（蛍光灯による光や日光等）や下方（床からの反射光）等の当該法線方向に対してある程度の角度を有して光学シートに入射することが多い。
【０００６】
そこで本発明は、上記の点に鑑み、外光を効率よく吸収することが可能な光学シート、及びこれを備える表示装置を提供することを課題とする。また、このような光学シートを製造するための光学シートの製造方法、及びロール金型の製造方法を提供する。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、映像源（５）と、複数の層を具備する光学シート（１０）とを有する表示装置（１）であって、光学シートは、透光性を有する基材層（１１）と、基材層の一方の面に積層された光学機能層（１２）と、を備え、光学機能層は、透光性を有するとともに基材層の面に沿って四角形断面を有して所定の間隔で並列され、四角形断面を維持して当該並列される方向とは異なる方向に延びる光透過部（１３）と、光透過部間に形成されて光透過部と同じ方向に延び、光を吸収可能とされる光吸収部（１４）と、を具備し、隣接する光吸収部と光透過部との界面は湾曲するように形成されており、光学機能層の層厚方向断面において光透過部の四角形断面のうち対向する１組の辺は界面を構成する辺であり、該四角形の２つの対角線のうちの一方である第一の対角線が光学機能層の出光面法線との成す角をθ１とし、２つの対角線のうちの他方である第二の対角線が出光面法線と成す角をθ２としたとき、θ１＜θ２であり、光透過部及び光吸収部が並列される方向が上下方向となるように配置され、第一の対角線を観察者側に延長したときに該第一の対角線が上方に、第二の対角線を観察者側に延長したときに該第二の対角線が下方に向くように光学機能層が配置される、表示装置とする。
【発明の効果】
【００１４】
本発明の光学シート、表示装置によれば特定の方向からの外光を効率よく吸収し、コントラストを向上させることができる。
また、本発明のロール金型の製造方法及び光学シートの製造方法によれば、このような光学シート、表示装置を効率よく製造することが可能となる。
【図面の簡単な説明】
【００１５】
【図１】１つの実施形態にかかる光学シートの断面の一部を概略的に示した図である。
【図２】図１の一部を拡大した図である。
【図３】ロール金型の外観を概略的に示した図である。
【図４】ロール金型の環状突起、及び溝を拡大して示した図である。
【図５】切削工具の形状を概略的に示した図である。
【図６】図６（ａ）、図６（ｂ）、図６（ｃ）はロール金型の製造方法の工程の一部を説明する図である。
【図７】光学シートを製造する方法の工程の一部を説明する図である。
【図８】光学シートを製造する方法の工程の他の一部を説明する図である。
【図９】表示装置の概要を示す分解斜視図である。
【図１０】図９のＸ−Ｘに沿った断面を表す図である。
【図１１】光路例を説明する図である。
【発明を実施するための形態】
【００１６】
本発明の上記した作用及び利得は、次に説明する発明を実施するための形態から明らかにされる。以下、本発明を図面に示す実施形態に基づき説明する。ただし、本発明はこれら実施形態に限定されるものではない。
【００１７】
図１は、１つの実施形態にかかる光学シート１０の厚さ方向断面の一部を示し、その層構成を模式的に表した図である。図１及び以降で示す各図では、見易さのため繰り返しとなる符号は一部省略することがある。また、各図ではわかり易さのため、形状を誇張して表したり、発明の趣旨に反しない限りに変形して示すこともある。
【００１８】
光学シート１０は、表示装置に配置されたときに映像源より観察者側に備えられ、観察者側から照射された光（いわゆる外光）を適切に吸収し、コントラストを向上させることができる部材である。
【００１９】
光学シート１０は、基材層１１、光学機能層１２、粘着剤層１７、電磁波遮蔽層１８、波長フィルタ層１９、及び反射防止層２０を備えている。以下、各層について説明する。
【００２０】
基材層１１は、光学機能層１２を形成するための基材となる層である。基材層１１を構成する材料は所定の強さと透光性を有すれば特に限定されることはない。これには例えば、ポリエチレンテレフタレート（ＰＥＴ）、ポリブチレンテレフタレート、ポリエチレンナフタレート等のポリエステル系樹脂、ナイロン６等のポリアミド系樹脂、ポリプロピレン等のポリオレフィン系樹脂、ポリメチルメタクリレートなどのアクリル系樹脂、ポリスチレン、スチレン−アクリロニトリル共重合体等のスチレン系樹脂、トリアセチルセルロース等のセルロース系樹脂、イミド系樹脂、ポリカーボネート樹脂等を主成分とする樹脂を挙げることができる。ここで「主成分」とは、基材層を形成する材料全体に対して上記樹脂が５０質量％以上含有されていることを意味する（以下、同様とする。）。
この中でも、性能に加え、量産性、価格、入手可能性等の観点から、ＰＥＴを主成分とする樹脂によって基材層１１を構成することが好ましい。
【００２１】
光学機能層１２は、映像源側からの映像光の光路を制御して観察者側に出射するとともに、迷光や外光を適切に吸収する機能を有する層である。光学機能層１２は、図１に示した断面を有して紙面奥／手前側に延在する形状を備える。すなわち、図１に表れる断面において、光透過部１３と、該光透過部１３の間に形成される凹部１２ａ（図２参照）に形成される光吸収部１４とを備えている。図２には、光学機能層１２の一部を拡大して示した。
【００２２】
光透過部１３は光を透過可能に形成された部位であり、図１、図２に表れる断面において、図２に破線で示した仮想の辺１３ｂを含めて辺１３ａ、１３ｂ、１３ｃ、１３ｄを有する四角形断面となる部位を有する。そして、光透過部１３は、基材層１１の一方の面に沿って所定の間隔で並列されるとともに、その間には、凹部１２ａが形成されている。この凹部１２ａに後述する必要な材料が充填されることにより光吸収部１４が形成される。光吸収部１４については後で説明する。
【００２３】
光透過部１３の辺１３ａは、光学機能層１２の一方の面を形成する辺であり、層面方向に沿って辺１３ａと凹部１２ａの開口部とが交互に具備されている。
光透過部１３の辺１３ｂは、辺１３ａに対向する位置に具備され、凹部１２ａの底部間を結ぶことにより得られる辺で、本実施形態では仮想の辺である。従って辺１３ｂは、シート面方向に沿って凹部１２ａの底部と交互に具備されている。
光透過部１３の辺１３ｃは、凹部１２ａの１つの面を形成する辺であり、光透過部１３から見て凹状に湾曲する形態とされている。
光透過部１３の辺１３ｄは、辺１３ｃに対向する位置に具備され、凹部１２ａの他の１つの面を形成する辺であり、光透過部１３から見て凸状に湾曲する形態とされている。
【００２４】
さらに、四角形断面が有する２つの対角線のうち、辺１３ａと辺１３ｃとの交点ｐと、辺１３ｂと辺１３ｄとの交点ｑと、を結ぶ第一の対角線が光学機能層１２の法線と成す角を見込角θ１とし、辺１３ａと辺１３ｄとの交点ｒと、辺１３ｂと辺１３ｃとの交点ｓと、を結ぶ第二の対角線が光学機能層１２の法線と成す角を見込角θ２としたとき、
θ１＜θ２
の関係となるように各辺が構成されている。θ２とθ１との差は特に限定されることはないが、２度以上４度以下であることが好ましい。これより差が小さいとコントラストを向上させる効果が低くなる虞があり、差がこれより大きいと製造時に金型ロールからの離型性を損なう虞がある。
【００２５】
このような光透過部１３、及びこれにより形成される光吸収部１４の形状により、所定の方向からの外光吸収性能を向上させることが可能となる。詳しくは後で説明する。
【００２６】
光透過部１３が配列される間隔（１つの光透過部１３とこれに隣接する光透過部１３との間隔、ピッチ）は、特に限定されることはないが、３０μｍ以上１００μｍ以下であることが好ましい。
【００２７】
図２には、凹部１２ａの各寸法をＡ〜Ｃで表わした。図２のＡは凹部１２ａの開口部の幅である。同様に、Ｂは底部の幅、Ｃは高さである。各寸法Ａ〜Ｃとも光学シートとして必要な性能を有するように設計され、その値は特に限定されるものではないが、Ａは５μｍ以上２０μｍ以下であることが好ましい。同様にＢはＡと同一又はＡよりも小さく、かつ、３μｍ以上２０μｍ以下、Ｃは５０μｍ以上１５０μｍ以下であることが好ましい。
後述するように、ここで必要とされる各寸法に対応したロール金型が製造される。
【００２８】
光透過部１３は屈折率がＮｐであり、光透過性を有する。このような光透過部１３は、例えば後述する光透過部構成組成物を硬化させることにより形成することができる。屈折率Ｎｐの値は特に限定されることはないが、適用する材料の入手性の観点等から１．４９〜１．５６であることが好ましい。
【００２９】
次に、光吸収部１４について説明する。光吸収部１４は、上記した光透過部１３間の凹部１２ａに後述する光吸収部構成組成物を充填することにより形成され、全体として光を吸収することができるように構成されている。従って、その形状は概ね凹部１２ａに沿うものとなっている。
【００３０】
光吸収部１４は、図２に表れる断面において、１４ａ、１４ｂ、１４ｃ、１４ｄを有する四角形断面である。
光吸収部１４の辺１４ａは、光学機能層１２の一方の面を形成する辺であり、層面方向に沿って辺１３ａの間に配置される。
光吸収部１４の辺１４ｂは、辺１４ａに対向する位置に具備され、シート面方向に沿って辺１３ｂと交互に具備されている。
光吸収部１４の辺１４ｃは、辺１３ｃに一致するように構成される辺で、光透過部１３と光吸収部１４との界面を構成する辺である。辺１４ｃは、光透過部１３から見て凹状、光吸収部１４から見ると凸状に湾曲する形態とされている。
光吸収部１４の辺１４ｄは、辺１４ｃに対向する位置に具備され、辺１３ｄに一致するように構成される辺で、辺１４ｃと対となって光透過部１３と光吸収部１４との界面を構成する辺である。辺１４ｄは、光透過部１３から見て凸状、光吸収部１４から見ると凹状に湾曲する形態とされている。
【００３１】
光吸収部１４は、光透過部１３の屈折率Ｎｐと同じ、又はこれより小さい屈折率Ｎｂを有する所定の材料により構成される。光透過部１３の屈折率Ｎｐと光吸収部１４の屈折率ＮｂとをＮｐ＞Ｎｂとしたときには、後述するように光吸収部１４と光透過部１３との界面において、屈折率差と該界面への入光角との関係に基づいて、一部の映像光をこの界面で適切に反射させて観察者側に出光することができる（図１１のＬ２参照）。これにより、界面に反射することなく光透過部１３を透過した映像光（図１１のＬ１参照）に加え、反射した映像光が観察者に提供され、明るい映像とすることができる。また、外光や迷光の一部は、界面で反射することなく光吸収部１４に入射して吸収され（図１１のＬ３、Ｌ４、Ｌ５参照）、映像の質の向上が図られている。ＮｐとＮｂとの屈折率の差は特に限定されるものではないが、０以上０．０６以下であることが好ましい。屈折率差が大きいほど界面での光の反射がしやすくなる。
【００３２】
本実施形態では、光吸収部１４は、光吸収粒子１６を含有することにより光吸収性能を有するものとされている。すなわち、光吸収粒子１６を分散させたバインダ１５（光吸収部構成組成物）が凹部１２ａに充填されている。従ってこの場合にはバインダ１５が屈折率Ｎｂである物質となる。光吸収部１４を形成する材料や方法等は後で詳しく説明する。
【００３３】
なお、光を吸収させるための手段は本実施形態のように光吸収粒子による方法に限定されるものではない。他には例えば、顔料や染料により光吸収部全体を着色することもできる。
【００３４】
本実施形態では凹部及びここに形成される光吸収部が四角形である例を説明したが、光吸収部が三角形であっても良い。光吸収部が三角形の場合には辺１４ｂは存在しなくなるが、ここに頂点が形成されるので、当該頂点を用いて第一の対角線及び第二の対角線を考えることができる。
【００３５】
次に図１に戻って光学シート１０に備えられる他の層について説明する。
粘着剤層１７は粘着剤が配置される層である。粘着剤の材料は必要な光透過性、粘着性、耐候性を得ることができれば特に限定されるものでなく公知のものを用いることができる。その中でも、上記性能に加えて入手性、成形性等を考慮してアクリル系粘着剤を用いることが好ましい。また、光学シート１０の層構成によっては、隣接する層の色素の劣化を防止するために、紫外線を吸収する効果のあるＵＶ吸収剤（ベンゾトリアゾール系等）を粘着剤に含めてもよい。また、その他にも粘着層に近赤外吸収剤、ネオン線吸収剤、及び調色色素などを含めてもよい。
【００３６】
電磁波遮蔽層１８は、電磁波を遮断する機能を有する層である。当該機能を有する層であれば、電磁波を遮断する手段は特に限定されことなく公知のものを用いることができる。これには、例えばエッチング方式、印刷方式、蒸着方式、スパッタ方式等の方法で形成された金属メッシュを挙げることができる。
【００３７】
波長フィルタ層１９は、所定の波長の光を減衰して透過する機能を有する層である。減衰されるべき波長の光は必要に応じて適宜選択することができるが、プラズマディスプレイパネル（ＰＤＰ）から出射されるネオン線を減衰・遮断する層、赤外線、近赤外線や紫外線を減衰・遮断する層、及び色調を補正する層を挙げることができる。このような各種機能を有する層は公知のものを用いることができる。
【００３８】
反射防止層２０は最も観察者側に配置され、外光の反射を防止する機能を有する層である。これによれば、外光が光学シートの観察者側面で反射して観察者側へ戻るいわゆる映り込みが生じて映像が見え難くなることを抑制することができる。反射防止層２０も公知のものを用いることができる。
【００３９】
以上、光学シート１０に備えられてよい層を例示したが、本発明はこれに限定されることなく、他の機能を有する公知の層を積層してもよい。これには例えば防眩層やハードコート層を挙げることができる。
【００４０】
防眩層は、いわゆるぎらつきを抑制する機能を有する層であり、アンチグレア層、ＡＧ層と呼ばれることもある。表面に凹凸があるので、ＡＧ層の上に平坦なな基材が重なる場合は、ニュートンリング等の干渉縞の発生を防止する効果がある。
【００４１】
ハードコート層は、保護層やＨＣ層とも呼ばれることもある。これは、画像表示面に傷がつくことを抑えるために耐擦傷性を付与することができる機能を有するフィルムが配置された層である。
【００４２】
次に、光学シート１０の製造方法のうち、光学機能層１２の製造方法の１つの例について説明する。
光学機能層１２を製造するに際してはロール金型３０を用いる。図３には、ロール金型３０の外観を概略的に示した斜視図を表した。図４には、ロール金型３０の外周面に形成された環状突起３２及び溝３３の断面の一部を拡大した図を示した。この断面は環状突起３２及び溝３３が延在する方向に直交するとともに、ロール金型２０の回転軸に沿った方向の断面である。
【００４３】
図３に示すように、ロール金型３０は、円柱状のいわゆるロール状の金型であり、円柱状のロール基体３１の外周面から突出する複数の環状突起３２、及び該環状突起３２間に形成される溝３３を有している。ここで環状突起３２及び溝３３は、ロール金型３０においてその円周方向に延び、これがさらに幅方向（ロール回転軸方向）に配列されるように具備されている。さらに詳しくは次の通りである。
【００４４】
ロール基体３１は、ベースとなる基体及び該基体外表面に積層された被加工層を有している。
基体は、ロール基体３１の剛性を確保するための部位で、ロール基体３１の大部分を占めている。かかる観点から基体は、機械構造用の鉄系材料が用いられることが好ましい。また、必要な剛性を確保しつつも軽量化をする観点から、基体は両端に底を有する有底の円筒状であってもよい。また、ロール金型３０表面の温度調節ができるようにロール基体３１の内部に冷水や温水、蒸気又は高温の油を循環できるように２重構造にするのが一般的である。
一方、被加工層は、基体の外表面を被覆するように積層された層である。基体は上記したように構造上の観点からその材料が選択されるので、加工が困難である場合が多い。そこで、実際に加工するのはロール基体３１の表面付近のみでよいことから、加工される部分に比較的加工のしやすい被加工層を設ける。従って、被加工層は、銅メッキ層、ニッケルメッキ層等の加工が容易な材料によるメッキ層であることが好ましい。被加工層の厚さは、その性質上、加工されるべき形状により決められる。例えば銅メッキ層の厚さは、必要な形状の高さ以上あれば問題ないが、通常は０．３ｍｍから１．０ｍｍである。
【００４５】
環状突起３２及び溝３３は、図４を図１、図２と対比させることからわかるように、光学機能層１２の光透過部１３及び凹部１２ａに対応する形状となっている。すなわち環状突起３２が凹部１２ａの形状であり、溝３３が光透過部１３の形状となっている。従って、図２に表わしたＡ〜Ｃ、光透過部の各辺１３ａ〜１３ｄ及び見込角θ１、θ２に対応する形状は、図４におけるＡ’〜Ｃ’、環状突起３２、溝３３により実現できるように構成されている。ただし、光透過部１３を構成する材料を成形するときに材料の伸縮があること等を考慮すれば、図２のＡ〜Ｃやその他形状が、図４のＡ’〜Ｃ’及びその他形状と完全に同一の寸法になるとは限らないことはいうまでもない。
【００４６】
以下、ロール金型３０の製造方法について説明する。基体上に被加工層が積層されたロール基体３１を準備し、これをロール回転軸により回転させる。はじめに基準面を得るための前加工として、所定の切削工具（Ｒバイト）により、必要な切り込み深さ及び送りで鏡面加工をおこなう。Ｒバイトとは、先端の形状が円弧状のバイトであり、曲率半径が２ｍｍから１０ｍｍのダイヤモンドバイトがよく用いられる。送りピッチは０．１ｍｍから０．２ｍｍが一般的である。ここで、ロール基体３１の直径は特に限定されることはないが、３００ｍｍ以上５００ｍｍ以下であることが好ましい。
その後、得られた基準面に基づいてロール基体３１を回転させつつ切削工具により環状突起３２、溝３３を形成する。ここで切削工具は例えば次のような形状を具備している。図５には、使用される切削工具の一例である切削チップ４０の概略的な図を示した。図５ではすくい面を符号４１、前逃げ面を符号４２、横逃げ面を符号４３でそれぞれ表わしている。図５（ａ）は斜視図、図５（ｂ）はすくい面４１側からみた図、図５（ｃ）は前逃げ面４２側から見た図、及び図５（ｄ）は横逃げ面４３側から見た図である。
【００４７】
切削チップ４０の主要な寸法は、溝３３の形状を形成できるように設定される。
【００４８】
また、図５に表わしたバイト角度θａ１、θａ２、横逃げ角θｂ、及び前逃げ角θｃは、次の通りである。ここでバイト角度θａ１とθａ２との和を頂角と呼ぶ。頂角は、製造されるべき光学シートの形状により決められる角度である。図５（ｂ）のｗはバイト先端幅である。頂角及びバイト先端幅は形成されべき溝の形状により適宜変更する。
【００４９】
横逃げ角θｂは、２度以上５度以下が好ましい。当該横逃げ角θｂを２度以上にすることにより、切削チップ４０の切れ性が向上し、切削チップへの負担が減少するので、摩耗を減らすことができ、１つの切削チップで溝をより長く精度良く加工することができる。すなわち、溝３３を深くしたり、ピッチを小さくしても溝の切削本数を増やすことが可能となる。従って、切削チップを交換することなく、又はその交換回数を抑制して光学シート製造用のロール金型を製作することができる。これにより、ロール金型３０の製造の効率及び精度を向上させ、最終製品である光学シート１０の凹凸形状も高精度に製造することが可能となる。また、横逃げ角θｂを５度よりも大きくすると、前逃げ角も大きくする必要があり、切削チップ４０の強度が低下する懸念が出てくる。
前逃げ角θｃは、５度以上２０度以下にすることが多い。５度より小さいと横逃げ角θｂと同様に切れ性が悪くなる傾向にある。一方、２０度よりも大きくすると切削チップ先端の剛性がなくなり、欠けやチッピングが生じやすい。
【００５０】
切削チップ４０の材質は被加工層の材質、加工形状等により適宜選択できる。これには例えば超硬合金、ＣＢＮ（立方晶窒化ホウ素）、ダイヤモンド等を挙げることができる。このなかでも高い精度を得ることができる観点からダイヤモンドであることが好ましい。ダイヤモンドには天然及び合成のものがあるが特に限定されることはない。
【００５１】
切削時におけるロール基体３１の回転速度は特に限定されるものではないが、３００ｒｐｍ以上６００ｒｐｍ以下であることが好ましい。ロール基体３１の直径にもよるが、例えば直径が４００ｍｍの場合、３００ｒｐｍ未満だと切削速度が遅いため、切削チップへの負担が大きくなり精度良く加工することができなくなる虞がある。６００ｒｐｍはおおよそ旋盤の最大回転速度である。ロール基体３１の回転速度を上げていくとロール基体３１の振れが生じやすくなり、かかる観点から４００ｒｐｍ程度が好ましい。
【００５２】
上記した切削チップ４０を用いて次のように溝３３及び環状突起３２を形成する。図６に模式図を示した。図６（ａ）、図６（ｂ）、図６（ｃ）の順に切削が進められていく。
【００５３】
図６（ａ）で示したように溝３３を形成したあと、当該図６（ａ）に示した状態から、切削チップ４０をロール基体３１の半径方向に後退させる。そして、溝３３のピッチの半ピッチ分送り、図６（ｂ）に示したように環状突起３２の外周部位置までロール基体３１の半径方向に切り込む。これにより環状突起３２の外周部が形成される。
【００５４】
次に、図６（ｂ）に示した状態から切削チップ４０をロール基体３１の半径方向に後退させる。そして、溝３３のピッチの半ピッチ分送り、図６（ｃ）に示したように溝３３の底部に至るまでロール基体３１の半径方向に切り込む。
ここで、本例では溝３３の切り込み速度を通常より速い速度でおこなう。これにより、当該切り込み時に、切削チップ４０から環状突起３２に対して図６（ｃ）に矢印Ｊで示したように力を与えることができ、環状突起３２を湾曲させることが可能となる。そしてこの湾曲により上記説明した光学機能層１２の凹部１２ａに対応した形状を形成することができる。
【００５５】
また、切削チップ４０による環状突起３２の湾曲の程度は切削チップ４０のいわゆる切れ味により変化する。従って、ロール基体３１の回転軸方向（ロール基体３１の幅方向）に配列される複数の環状突起３２の湾曲の程度を可能な限り揃えるため、切削開始位置における切り込み速度より切削終了位置における切り込み速度を遅くするとともに、切削開始位置から切削終了位置に向けてロール基体幅方向に進めるにともなって徐々に切り込み速度を遅くするように切り込みを行うことが好ましい。
【００５６】
具体的な切り込み速度は、形成される環状突起３２の形状により適宜変更可能であるが、切削開始位置で５（μｍ／回転）以上、７（μｍ／回転）以下であることが好ましい。一方、切削終了位置では３（μｍ／回転）以上、５（μｍ／回転）以下であることが好ましい。
【００５７】
また、切削チップ（切削工具）が切り込み深さに達したとき、そのままの姿勢でロール基体３１を１回転以上させてから切削チップ４０を後退させることが好ましい。これにより、ロール基体３１の円周方向全周にわたり所定の切り込み深さになる。１回転未満で切削チップ４０を後退させると、円周方向で部分的に所定の切り込み深さまで達していない箇所ができてしまう虞があり、外観不良や形成した光学シートの光学性能にばらつきが生じることがある。
【００５８】
このようにロール金型３０を製造することにより、効率的に本発明の光学機能層に対応した形状の型を製造することができる。
【００５９】
上記切削により環状突起３２及び溝３３が形成された後には、ロール金型の表面が腐食することを防止したり、後述する光透過部構成組成物の離型性向上などの観点から、ロール金型の表面をクロム等でメッキすることが好ましい。
【００６０】
次に、上記ロール金型３０を用いて、光学機能層１２を形成する方法について説明する。図７、図８に説明のための概念図を示した。はじめに基材１１上に光透過部１３を形成する。すなわち、図７からわかるようにロール金型３０とこれに対向するように配置されたニップロール５１との間に、図７にＶＩＩで示したように基材層１１となる基材１１’を挿入する。このとき、基材１１’とロール金型３０との間に光透過部構成組成物１３’を供給しながらロール金型３０及びニップロール５１を回転させる。これによりロール金型３０の表面に形成された溝３３内に光透過部構成組成物１３’が充填され、該光透過部構成組成物１３’がロール金型３０の表面形状に沿ったものとなる。
【００６１】
ここで、光透過部構成組成物１３’としては、例えば、光硬化型プレポリマー（Ｐ１）に、反応性希釈モノマー（Ｍ１）及び光重合開始剤（Ｓ１）を配合した光硬化型樹脂組成物が好ましく用いられる。
【００６２】
上記光硬化型プレポリマー（Ｐ１）としては、例えば、エポキシアクリレート系、ウレタンアクリレート系、ポリエーテルアクリレート系、ポリエステルアクリレート系、ポリチオール系等のプレポリマーを挙げることができる。
【００６３】
また、上記反応性希釈モノマー（Ｍ１）としては、例えば、ビニルピロリドン、２−エチルヘキシルアクリレート、β−ヒドロキシアクリレート、テトラヒドロフルフリルアクリレート等を挙げることができる。
【００６４】
上記光重合開始剤（Ｓ１）としては、例えば、ヒドロキシベンゾイル化合物、ベンゾイルホルメート化合物、チオキサントン化合物、ベンゾフェノン、リン酸エステル化合物、ベンジルジメチルケタール等が挙げられる。これらの中から、光硬化型樹脂組成物を硬化させるための照射装置及び光硬化型樹脂組成物の硬化性から任意に選択することができる。なお、光透過部１３の着色防止の観点から好ましいのは、２−ヒドロキシ−２−メチル−１−フェニルプロパン−１−オン、１−ヒドロキシシクロヘキシルフェニルケトン及びビス（２，４，６−トリメチルベンゾイル）−フェニルホスフィンオキサイドである。
【００６５】
これらの光硬化型プレポリマー（Ｐ１）、反応性希釈モノマー（Ｍ１）及び光重合開始剤（Ｓ１）は、それぞれ、１種類で、又は２種以上を組み合わせて用いることができる。
【００６６】
ロール金型３０と基材１１’との間に挟まれ、ここに充填された光透過部構成組成物１３’に対し、基材１１’側から光照射装置５２により光を照射する。これにより、光透過部構成組成物１３’を硬化させ、その形状を固定させることができる。そして、離型ロール５３によりロール金型３０から基材層１１及び成形された光透過部１３を離型する。
【００６７】
次に、光吸収部１４を形成する。光吸収部１４を形成するには、図８に示したように、凹部１２ａ上に光吸収部構成組成物１４’を過剰に供給する。その後、余剰分の光吸収部構成組成物１４’をドクターブレード５４で掻き落とす。そして、凹部１２ａ内に残った光吸収部構成組成物１４’に光透過部１３側から光を照射することによって、光吸収部構成組成物１４’に含まれるバインダ１５を硬化させ、光吸収部１４を形成することができる。
【００６８】
バインダとして用いられるものは特に限定されないが、これには例えば、光硬化型プレポリマー（Ｐ２）に、反応性希釈モノマー（Ｍ２）及び光重合開始剤（Ｓ２）を配合した光硬化型樹脂組成物が好ましく用いられる。
【００６９】
光硬化型プレポリマー（Ｐ２）としては、例えば、ウレタン（メタ）アクリレート、ポリエステル（メタ）アクリレート、エポキシ（メタ）アクリレート、及びブタジエン（メタ）アクリレート等を挙げることができる。
【００７０】
また、反応性希釈モノマー（Ｍ２）としては、例えば、単官能モノマーとして、ビニルモノマー、（メタ）アクリル酸エステルモノマー、（メタ）アクリルアミド誘導体が挙げられる。また、多官能モノマーとして、（メタ）アクリレート系のものを挙げられる。
【００７１】
また、光重合開始剤（Ｓ２）としては、１−ヒドロキシシクロヘキシルフェニルケトン、２−ヒドロキシ−２−メチル−１−フェニルプロパン−１−オン、２，２−ジメトキシ−１，２−ジフェニルエタン−１−オン、２，４，６−トリメチルベンゾイルジフェニルホスフィンオキサイド、ビス（２，４，６−トリメチルベンゾイル）−フェニルホスフィンオキサイド等が挙げられる。これらの中から、光硬化型樹脂組成物を硬化させるための照射装置及び光硬化型樹脂組成物の硬化性から任意に選択することができる。
【００７２】
これらの光硬化型プレポリマー（Ｐ２）、反応性希釈モノマー（Ｍ２）及び光重合開始剤（Ｓ２）は、それぞれ、１種類で、又は２種以上を組み合わせて用いることができる。
【００７３】
具体的には、ウレタンアクリレート、エポキシアクリレート、トリプロピレングリコールジアクリレート及びメトキシトリエチレングリコールアクリレートからなる光重合性成分（詳しくは、光硬化型プレポリマー（Ｐ２）及び反応性希釈モノマー（Ｍ２））の屈折率、粘度、又は光学機能層１２の性能への影響等を考慮して任意に配合して用いることができる。
【００７４】
また必要に応じて、添加剤として、シリコーン、消泡剤、レベリング剤及び溶剤等を光吸収部構成組成物に添加してもよい。
【００７５】
光吸収粒子１６としては、カーボンブラック等の光吸収性の着色粒子が好ましく用いられるが、これらに限定されるものではなく、映像光の特性に合わせて特定の波長を選択的に吸収する着色粒子を使用してもよい。具体的には、カーボンブラック、グラファイト、黒色酸化鉄等の金属塩、染料、顔料等で着色した有機微粒子や着色したガラスビーズ等を挙げることができる。特に、着色した有機微粒子が、コスト面、品質面、入手の容易さ等の観点から好ましく用いられる。着色粒子の平均粒子径は１．０μｍ以上２０μｍ以下であることが好ましい。平均粒子径が１．０μｍ以上の着色粒子を用いることによって、上記したように着色粒子がドクターブレード５４と光透過部１３の上部との間の隙間を抜け難くなり、光透過部１３の上部に着色粒子が残留することを防止できる。
【００７６】
以上により、基材層１１上に光透過部１３及び光吸収部１４を形成することができる。また、光学シート１０に備えられる他の層は接触又は粘着剤により積層させることができる。
【００７７】
次に光学シート１０を備える表示装置１について説明する。図９には、表示装置１の概要を分解斜視図で示した。図９からわかるように表示装置１は正面側筐体２、背面側筐体３、及び映像源ユニット４を備えている。ただし、表示装置１にはこれ以外にも表示装置に備えられるべき公知の各種機器が具備されている。そして、映像源ユニット４及びこれら各種機器が、正面側筐体２及び背面側筐体３により形成される筐体内に配置され表示装置１として形成されている。
【００７８】
映像源ユニット４は、映像源５と上記した光学シート１０とを備える部材で、映像源ユニット４により映像が出射され観察者に提供される。図１０には、図９にＸ−Ｘで示した線に沿った映像源ユニット４の断面図を示した。
【００７９】
図１０からわかるように、映像源ユニット４は映像源５、及び該映像源５の映像出射側に積層された光学シート１０を備えている。本実施形態で映像源５はプラズマディスプレイパネルであり、従って表示装置１はプラズマテレビである。ここで映像源５は公知のものを用いることができる。
【００８０】
また、光学シート１０は上記したものであるが、表示装置１に配置する際には、図１０からわかるように、光透過部１３、光吸収部１４が延びる方向を水平方向にするとともに、第一の対角線を観察者側に延長したときにこれが上方に向かい、第二の対角線を観察者側に延長したときにこれが下方に向かうような配置とした（図２も参照）。従って、光吸収部１４の辺１４ｃが上、辺１４ｄが下となる向きとされる。これにより、光吸収部１４の観察者側端部が下方に下がるような形態となった。
【００８１】
図１１には、光学機能層１２に入射する光に注目し、その光路例である映像光Ｌ１〜Ｌ３、及び外光Ｌ４、Ｌ５を示した。
映像光Ｌ１は映像源５から出射した映像光であり、光透過部１３をそのまま透過して観察者側に出射される。
映像光Ｌ２は映像源５から出射した映像光であり、シート面法線に対して所定の角度を有して光透過部１３に入射し、光吸収部１４との界面に達した光である。ここで、映像光Ｌ２は、光透過部１３と光吸収部１４との屈折率差及び界面への入射角度に基づいて該界面で反射する。反射した映像光Ｌ２は光透過部１３を透過して観察者に出射される。従ってこのような場合には光吸収部へ向かっていた映像光であってもこれを観察者に提供することができ、効率よく観察者に映像光を提供することができる。
映像光Ｌ３は映像源５から出射した映像光ではあるが、光学機能層１２に入射する前に光学シート１０内で迷光として反射を繰り返した光である。映像光Ｌ３はシート面法線方向に対して大きな角度で光透過部１３に入光し、光吸収部１４との界面に達する。ここで、映像光Ｌ３は、光透過部１３と光吸収部１４との屈折率差及び界面への入射角度に基づいて該界面を透過して光吸収部１４の光吸収粒子１６で吸収される。従ってこのような本来観察者側に出光させたくない迷光を適切に吸収することができる。
【００８２】
外光Ｌ４、Ｌ５は、例えば室内の蛍光灯等からの光が光学シート１０に入射したような光である。図１１からわかるように、外光Ｌ４、Ｌ５は光吸収部１４に入射し、光吸収粒子１６により吸収される。これにより外光が吸収されるので、当該外光が映像光に与える影響を低減させることができ、コントラストを向上させることが可能である。本実施形態で、上記したような形態の光学機能層１２を配置したので、外光の吸収量を大きくすることができる。
すなわち、外光は室内の蛍光灯等からの光のように、表示装置の斜め上方から表示装置に対して照射される光が多い。このような斜め上方からの外光に対して本実施形態のような形態の光学機能層１２を配置することにより、外光が光吸収部に入射する面積を増やすことができ、従来よりもコントラストを向上させることが可能となる。
【００８３】
一方、床面からの反射光が問題となるような状態で、斜め下方からの外光を効率よく吸収することが好ましい場合には、光学機能層１２の上下が反対となるように光学シート１０を配置すればよい。また、本実施形態では基材層１１を観察者側、光学機能層を映像源側とする例を説明したが、本発明の趣旨に反しない限りこれに限定されることはなく、基材層を映像源側に配置し、光学機能層を観察者側に配置してもよい。
【００８４】
また、本実施形態では映像源としてプラズマディスプレイパネルを用い、表示装置をプラズマテレビとして説明したがこれに限定されるものではない。例えば映像源として有機ＥＬパネルや液晶表示パネルを用い、表示装置を有機ＥＬテレビや液晶テレビとしてもよい。
【実施例】
【００８５】
以下、実施例により本発明をさらに詳しく説明する。ただし本発明は実施例に限定されるものではない。
【００８６】
＜実施例１＞
実施例１では、直径４００ｍｍ、幅１０００ｍｍの大きさで、表面に被加工層としての厚さ０．５ｍｍの硬質銅メッキ（ビッカース硬度２１０Ｈｖ）を施した基体に、溝を形成してロール金型を製造した。切り込み対象となる溝は、ピッチを４５μｍとし、溝における切り込み深さは８４μｍ、環状突起の外周面における切り込み深さは１０μｍとした。また、基体の回転速度は４２０ｒｐｍ、切り込み速度は初期５μｍ／回転で切削し、徐々に切り込み速度を落としていき、基体幅方向１０００ｍｍの位置を切削した時点で３μｍ／回転となるようにプログラムを組んだ。また、切削工具としてダイヤモンドチップを用い、頂角を３度、横逃げ角を３度、前逃げ角を１１度、及びバイト先端幅を３５μｍとした。
その結果、切削始点から終点までを１つのダイヤモンドチップで切削することができ、環状突起の倒れを一定にすることができた。そして光学機能層の見込角θ１に対応する角度と、見込角θ２に対応する角度との差は３度であった。
【００８７】
このようなロール金型を用いて、光学機能層を製作した。すなわち、硬化後の屈折率が１．５５となる光透過部構成組成物としてウレタン系紫外線硬化型樹脂を用いた。これを基材層（東洋紡製ＰＥＴ、Ａ４３００、厚さ１００μｍ）上に供給してロール金型により光透過部と凹部を形成した。その後、凹部に光吸収部構成組成物（紫外線硬化型バインダ樹脂１００質量部に対し、平均粒径４μｍの黒色ビーズ２０質量部を分散させたもの。バインダの硬化後の屈折率は１．５４７）を過剰に供給して凹部に該組成物を充填し、金属製のドクターブレードで余分な組成物を掻き落とし、残ったバインダを硬化させた。
これにより見込角θ１と見込角θ２との差（θ２−θ１）が３度である光学機能層を得た。
【００８８】
このように形成した光学機能層を５０インチのパナソニックプラズマテレビ（ＴＨ−Ｐ５０Ｇ２）のパネル表面に基材層が観察者側になるように貼り付けた。当該貼り付けの際には、光吸収部の向きが図１０と同じになるように配置した。このように設置した光学機能層に対して、部屋の天井部から蛍光灯により外光を照射した。
【００８９】
＜実施例２＞
実施例２では、ロール金型の製造の際に、溝形成のときの切り込み速度を初期７μｍ／回転とし、徐々に切り込み速度を落としていき、基体幅方向１０００ｍｍの部位を切削した時点で５μｍ／回転となるようにプログラムを組んだ。
その結果、切削始点から終点までを１つのダイヤモンドチップで切削することができ、環状突起の倒れを一定にすることができた。このロール金型を用いて実施例１と同様に光学機能層を形成した。これにより見込角θ１と見込角θ２との差（θ２−θ１）が５度である光学機能層とすることができた。その他は実施例１同じである。
【００９０】
＜比較例１＞
比較例１では、ロール金型の製造の際に、溝形成のときの切り込み速度を初期２μｍ／回転とし、徐々に切り込み速度を落としていき、基体幅方向１０００ｍｍの部位を切削した時点で１μｍ／回転となるようにプログラムを組んだ。
その結果、切削始点から終点までを１つのダイヤモンドチップで切削することができ、環状突起の倒れはなかった。このロール金型を用いて実施例１と同様に光学機能層を形成した。これにより見込角θ１と見込角θ２との差（θ２−θ１）が０度である光学機能層とすることができた。その他は実施例１と同じである。
【００９１】
＜評価＞
評価は、「コントラスト」、「視野角」、「明るさ」でおこなった。いずれも目視により評価を行い、比較例１に対して良好なものが◎、比較例１と同等であるか、低下しても実用上問題無いレベルを○、とした。
【００９２】
＜結果＞
結果を表１に示す。
【００９３】
【表１】
0005724540.tif 000002
【００９４】
表１からわかるように、見込角に差を設けた実施例１、実施例２ではコントラストを向上させることができた。
【符号の説明】
【００９５】
１  表示装置
４  映像源ユニット
１０  光学シート
１１  基材層
１２  光学機能層
１３  光透過部
１４  光吸収部
１７  粘着剤層
１８  電磁波遮蔽層
１９  波長フィルタ層
２０  反射防止層
３０  ロール金型
３１  ロール基体
３２  環状突起
３３  溝
【図１】
0005724540.tif 000003
【図２】
0005724540.tif 000004
【図３】
0005724540.tif 000005
【図４】
0005724540.tif 000006
【図５】
0005724540.tif 000007
【図６】
0005724540.tif 000008
【図７】
0005724540.tif 000009
【図８】
0005724540.tif 000010
【図９】
0005724540.tif 000011
【図１０】
0005724540.tif 000012
【図１１】
0005724540.tif 000013